(57)【要約】【課題】本発明の第１の目的は、ポケットが形成されていない、通常の二つ折フォルダーや紙製フォルダーにも使用できる見出しカードを提供することを目的としている。本発明の第２の目的は、多品種、少量生産に対応できる見出しカードを提供することを目的としている。【解決手段】第１の目的は、見出しカードに粘着剤層を設けることで達成される。第２の目的は、見出しカードの文字や着色をインクジェットプリンターによって生成することで達成される。【選択図】図１
2007245563.tif 000002
【特許請求の範囲】
【請求項１】
略矩形で縦長の基材からなる見出しカードであって、
該基材の一方の表面に、長さ方向に沿って複数段の文字表示領域を有し、
少なくとも１つの文字表示領域には、該文字表示領域の幅方向両端部の少なくとも一方に文字が印刷され、また該文字表示領域に印字された文字の情報に対応した着色部が印刷されてなり、かつ
基材の他方の面に粘着剤層を有する見出しカード。
【請求項２】
該着色部が、該文字表示領域の中央に、長さ方向に沿って帯状に印刷されてなる請求項１に記載の見出しカード。
【請求項３】
該文字表示領域の幅方向両端部の一方に文字が印刷され、他方に該着色部が長さ方向に沿って帯状に印刷されてなる請求項１に記載の見出しカード。
【請求項４】
基材が、耐水性、耐光性、耐擦過性に優れたインクジェットプリンター用合成紙であり、文字および着色部がインクジェットプリンターにより形成されたものである請求項１〜３の何れかに記載の見出しカード。
【請求項５】
最下端の文字表示領域には、文字のみを有し、着色部を有しない請求項１〜４の何れかに記載の見出しカード。
【請求項６】
粘着剤層に剥離紙が積層されてなる請求項１〜５の何れかに記載の見出しカード。
【請求項７】
略矩形で縦長の基材からなる見出しカードであって、
該基材の一方の表面に、長さ方向に沿って複数段の文字表示領域を有し、
少なくとも１つの文字表示領域には、該文字表示領域の幅方向両端部の少なくとも一方に文字が印刷され、また該文字表示領域に印字された文字の情報に対応した着色部が印刷されてなり、かつ
基材が、耐水性、耐光性、耐擦過性に優れたインクジェットプリンター用合成紙であり、文字および着色部がインクジェットプリンターにより形成されてなる見出しカード。
【請求項８】
該着色部が、該文字表示領域の中央に、長さ方向に沿って帯状に印刷されてなる請求項７に記載の見出しカード。
【請求項９】
該文字表示領域の幅方向両端部の一方に文字が印刷され、他方に該着色部が長さ方向に沿って帯状に印刷されてなる請求項７に記載の見出しカード。
【請求項１０】
最下端の文字表示領域には、文字のみを有し、着色部を有しない請求項７〜９の何れかに記載の見出しカード。
【請求項１１】
請求項１〜５の何れかに記載の見出しカードと、
フォルダーとからなり、
フォルダーの一辺に該見出しカードが二つ折して貼付されてなるカルテフォルダー。
【請求項１２】
請求項６〜１０の何れかに記載の見出しカードと、
フォルダーとからなり、
フォルダーには外縁部に突出する縦長のポケットが形成されてなり、
フォルダーのポケットに二つ折した見出しカードが挿入されてなるカルテフォルダー。
【請求項１３】
カルテフォルダー使用者からの要望に応じ、所望の文字および着色部を有する請求項１〜１０の何れかに記載の見出しカードを見出しカード製造者が生成し、
生成した見出しカードをカルテフォルダー使用者に提供し、
カルテフォルダー使用者が該見出しカードを所望のフォルダーに装着することからなるカルテ管理システムの提供方法。
【請求項１４】
カルテフォルダー使用者からの要望に応じ、所望の文字および着色部を有する請求項１〜１０の何れかに記載の見出しカードを見出しカード製造者が生成し、
生成した見出しカードを、カルテフォルダー使用者の要望するフォルダーに、見出しカード製造者が装着し、
見出しカードが装着されたカルテフォルダーを、見出しカード製造者がカルテフォルダー使用者に提供することからなるカルテ管理システムの提供方法。
【発明の詳細な説明】
【技術分野】
【０００１】
本発明は見出しカードに係り、特に、病院等の医療機関における患者のカルテを保管するフォルダー、バインダー等に利用することに適した見出しカードに関する。また、本発明は、かかる見出しカードを装着したカルテフォルダーおよびカルテ管理システムの提供方法に関する。
【背景技術】
【０００２】
医療機関においては、患者毎に準備されたフォルダーを利用してカルテを保管するシステムが採用されている。このシステムによるフォルダーは、通常は、受付窓口の近傍に設置された収納棚に立て掛けた姿勢で収納されている。カルテを必要とするときの検索を容易なものとするために、フォルダーに見出しカードを収納できる透明なポケットを形成しておき、このポケット内に収納された見出しカードの表示内容を外部より認識して特定のフォルダーを取り出しできるようになっている。
【０００３】
このようなフォルダーとしては、耐久性の観点から、ポリプロピレンシート（ＰＰ）等の樹脂シートを切断、溶着加工してなるＰＰ製フォルダーが汎用されている。このような見出しカードを収納するためのポケットを有する樹脂製フォルダーを製造するためには、樹脂シートの切断形状が複雑になり、また工程数も増える。一方、文具等として使用されているフォルダーは、樹脂シートを二つ折し、折り目に隣接する一辺を溶着して製造される（以下、このような構造のフォルダーを「二つ折フォルダー」と呼ぶ）。
【０００４】
ポケット付きフォルダーは、上記の製造工程が複雑であるため、二つ折フォルダーに比べて高価なものとなっている。このため、ポケットが形成されていない、通常の二つ折フォルダーや、紙製フォルダーにも使用できる見出しカードが提供されれば、カルテ管理に安価な二つ折フォルダーや紙製フォルダーを使用できるようになり、カルテの管理コストを低減できる可能性がある。
【０００５】
また、見出しカード３０は、たとえば図６に示すように、略矩形縦長の基材３１からなり、基材３１の一方の表面に、長さ方向に沿って複数段の文字表示領域Ａを有する。各文字表示領域Ａの両端部には、各医療機関のカルテ管理方法に応じて、カルテ番号や、患者の生年月日あるいは、氏名などの文字（数字）が一文字づつ印字され、またそれぞれの文字毎に予め特定された背景色が付されている。
【０００６】
このような見出しカードとして、たとえば特許文献１においては、「一枚のシートに所定の表示領域を設けた見出しカードにおいて、前記表示領域の少なくとも一部を印刷領域として文字が印刷されるとともに、当該文字毎に特定された色で印刷され、前記印刷領域を除く残りの表示領域は空欄とされていることを特徴とする見出しカード」が開示されている。
【０００７】
見出しカードを用いてのカルテ管理について、カルテ番号に基づく管理を例にとり説明する。
来院者が提示する診察券にはカルテ番号と同じ番号が記載されている。したがって、診察券番号と同じ番号のカルテを検索する。ここで、カルテ番号を３桁の数字、すなわち００１〜９９９で管理している場合を例とする。
【０００８】
見出しカード３０の文字表示領域にはフォルダー２０に収納されるカルテと同じ番号が印字され、また各数字には、数字毎に予め特定された背景色が付されている。見出しカー
ド３０は、フォルダー２０の外縁部に突出して形成されたポケット２１内に挿入されている。図７では、３２１番のカルテが収納されているフォルダー２０およびこれに適用される見出しカード３０を示している。見出しカード３０には、複数段の文字表示領域があり、図６、７では５段の文字表示領域を有し、うち下３段の両端部に、上から３、２、１の番号が印字されているものを例示した。１００の位、すなわち「３」の数字の背景色は赤であり、１０の位、すなわち「２」の数字の背景色は茶である。１の位の数字には背景色が付されていてもよいが、カルテ検索においては１の位の背景色は、後述するカラーブロックを形成しないため、背景色を付する必要は必ずしもない。以下では、１の位の数字に背景色を付さない場合、すなわち、１の位の文字表示領域には、数字のみを印刷されている場合を例とする。
【０００９】
同様にして、００１〜９９９のぞれぞれの見出しカードに印字と背景色を付す。
この結果、１００の位の背景色が同じカードが１００枚存在し、１００の位および１０の位の背景色が同じカードが１０枚存在することになる。
【００１０】
たとえば、３００〜３９９の１００枚のカードは、１００の位の背景色が赤である。そのうち、３２０〜３２９の１０枚のカードは、１００の位の背景色が「赤」、１０の位の背景色が「茶」のカラーパターンとなる。また、３３０〜３３９の１０枚のカードは、１００の位、１０の位の背景色がともに「赤」のカラーパターンとなる。
【００１１】
これらの見出しカードを、長さ方向に沿って二つ折りにして、折り目部のカラーパターンが目視できるようにしてフォルダー２０のポケット２１に収納する。その後、カラーパターンが視認できるようにフォルダーを縦置きして、番号順に整列させる。
【００１２】
この結果、３００〜３９９の１００個のフォルダーは、１００位の文字表示領域が「赤」の大ブロックを形成する。そして、３２０〜３２９の１０個のフォルダーは、１００位が「赤」、１０位が「茶」の小ブロックを形成する。小ブロック内の１０個のフォルダーは、１の位に数字の順に整列収納される。したがって、３２１番のカルテを取り出す場合には、１００位が「赤」の大ブロック中で、１０位が「茶」の小ブロックを検索すれば、容易に発見できる。
【００１３】
また、この方法によれば、カルテのミスファイルも防止できる。たとえば、２３１番のフォルダーを誤って３２１番の位置に収納した場合、１００位が「赤」の大ブロック中に、１００位が茶のフォルダーが存在することになり、ミスファイルであることが目視により容易に判明する。
【００１４】
このようなカルテの管理方法は、カラーデジット方式とも呼ばれ、特に数字の下２桁、あるいは３桁で管理する方法をターミナルデジット方式と呼ぶことがある。
見出しカード３０は、前記のような構造であるが、比較的厚みの薄いカルテの管理においては、フォルダー２０のポケット２１にカード１０は二つ折して収納され、折り目のカラーパターンのみが視認される。この折り目が擦り切れて白化すると、折り目部のカラーパターンが視認できなくなり、カラーデジット方式の利便性が損なわれる。このため、通常は、見出しカードに文字、背景色を、グラビア印刷、カレンダー印刷あるいはスクリーン印刷などの公知の大量印刷法で印刷した後、表面に保護コートを付したり、あるいはポリプロピレンやポリエチレンテレフタレート製の保護フィルムを貼付し、カラーパターンの耐久性を向上させている。グラビア印刷等の大量印刷法や保護コートの付与、保護フィルムの貼付には、大きな装置や熟練が必要となり、カルテフォルダーの使用者において、所望の見出しカードを作成することは困難である。また、商品単価を下げるためには、少品種、大量印刷を行うことが必要になるため、見出しカードの商品バリエーションは、必ずしも豊富とはいえない。
【００１５】
したがって、現在、実際に流通しているカラーデジット方式の見出しカードは、２桁あるいは最高でも３桁の数字が連番で予め印字されたものである。そして、カルテフォルダーの使用者（主として、病院、医院、歯科医院、動物病院、美容院等）では、１００枚以上、場合よっては５００枚以上の連番の見出しカードを保管し、新規カルテを作成するたびに、在庫のカードを数字の順番に使用し、在庫のカードが少なくなると、新たに連番のカードを注文している。
【００１６】
しかし、多量の見出しカードを保管し、これを番号順に使用することは、ときとして煩雑であり、カードの紛失や、使用順を誤ることもある。カードを紛失した場合には、紛失した番号のカードのみを取り寄せることになるが、見出しカードは連番でセット販売されることが多いため、紛失した番号のカードのみの購入は割高となることが多い。
【００１７】
また、実際に流通している見出しカードは、上述のように２桁あるいは３桁の数字が印刷されたものである。３桁の場合には、その数値の上限９９９となる。このためカルテ番号が１０００番となった場合には、「０００」のカードの１０００位の空欄に、「１」の番号が印刷されたシールを貼付して、「１０００番」のカードとしている。１０００番以降のすべてのカードに関して、同様の作業が要求されることになり、さらに煩雑になる。
【００１８】
また、カルテフォルダーの使用者においては、カルテ番号ではなく、来院者の生年月日や氏名でのカルテ管理を希望する場合もある。生年月日で管理する場合には、同一の見出しカードを複数枚使用することもある。たとえば、１１月１１日生まれの甲乙２名に対しては１１１１と付されたカードを２枚準備し、それぞれのフォルダーを作成する。カルテの一次検索は、生年月日に基づいて行い、１１１１番のフォルダーを検索した後、氏名あるいはカルテ番号を対照して、目的のカルテを検索する。また、生年月日で管理する場合には、たとえば１１月３１日は存在しないため、１１３１というカードは不要となる。したがって、この場合、連番でのカード管理ができず、カードの提供者においては、使用者の要望に応じて必要なカードを準備する手間が増大する。
【００１９】
さらに、見出しカードの提供者においては、カルテフォルダーの使用者以上に多量の在庫を保管する必要がある。病院等の規模によってカードの消費速度は様々であり、見出しカードの提供者においては、カードを安定して供給するために、様々な番号のカードを保管しておき、使用者の要望する番号のカードを抜き出し、番号順に並び替えた後、これを使用者に提供している。この作業は煩雑であるばかりでなく、多量の在庫を維持する必要があるため、前述した商品バリエーションの拡大を困難にしている。
【００２０】
上記のような背景技術に鑑みれば、多品種、少量生産に対応できる見出しカードの開発が望まれる。
【特許文献１】特開２００４−１７４０５号公報
【発明の開示】
【発明が解決しようとする課題】
【００２１】
本発明の第１の目的は、ポケットが形成されていない、通常の二つ折フォルダーや紙製フォルダーにも使用できる見出しカードを提供することを目的としている。このような見出しカードによれば、カルテ管理に安価な二つ折フォルダーや紙製フォルダーを使用できるようになり、カルテの管理コストを低減できる。
【００２２】
本発明の第２の目的は、多品種、少量生産に対応できる見出しカードを提供することを目的としている。
多品種化により、たとえば生年月日や氏名によるカルテ管理を可能にし、カルテフォル
ダー使用者の選択枝が広がる。また、少量生産に対応できれば、使用者の要望に応じて必要量のカードを適時に供給できることになり、使用者および提供者の双方において在庫の低減が図られる。
【００２３】
第２の目的を達成すべく鋭意検討の結果は、本発明者はインクジェットプリンターの使用を着想するに至った。コンピュータにより制御されるインクジェットプリンターによれば、多様なデザインの見出しカードを提供でき、使用者の選択の幅は飛躍的に拡大する。また、個々の使用者の要望に応じた見出しカードを設計することもできる。さらに、インクジェットプリンターによれば、個別化した少量生産にも柔軟に対応できる。
【００２４】
しかし、インクジェットプリンターでは、グラビア印刷などの大量印刷に比べて印刷単価が高くなる。また、普通紙に印刷した場合には、折り目が擦り切れ、カラーパターンの視認が困難になる。
【００２５】
このため、インクジェットプリンターを使用する場合には、印刷単価を抑える工夫が望まれ、さらに耐屈曲性や耐久性、耐水性、耐光性、耐擦過性が高く印字適性も良好な基材を見出す必要があった。
【００２６】
インクジェットプリンターを使用した場合、そのコストの多くは、インクカートリッジの価格であり、使用するインク量を減らせば、印刷単価を抑えることができる。そして、カルテのような比較的薄いファイルを管理対象とするカラーデジット方式においては、見出しカードの折り目におけるカラーパターンが視認できれば充分であり、文字表示領域のすべてに背景色を付する必要はない。すなわち、折り目近傍にのみ着色部を設けることで、カラーデジット方式の利便性を享受でき、しかも印刷単価を低減できる。したがって、インクジェットプリンターに対する印字適性がよく、しかも耐屈曲性や耐久性、耐水性、耐光性、耐擦過性の高い基材が見出せれば、上記の着想を現実化できる可能性がある。
【００２７】
本発明者は、かかる発想に基づき、種々の材料を取捨検討した結果、以下のような本発明を想到するに至った。
【課題を解決するための手段】
【００２８】
本発明は下記の事項を要旨とするものである。
（１）略矩形で縦長の基材からなる見出しカードであって、
該基材の一方の表面に、長さ方向に沿って複数段の文字表示領域を有し、
少なくとも１つの文字表示領域には、該文字表示領域の幅方向両端部の少なくとも一方に文字が印刷され、また該文字表示領域に印字された文字の情報に対応した着色部が印刷されてなり、かつ
基材の他方の面に粘着剤層を有する見出しカード。
（２）該着色部が、該文字表示領域の中央に、長さ方向に沿って帯状に印刷されてなる（１）に記載の見出しカード。
（３）該文字表示領域の幅方向両端部の一方に文字が印刷され、他方に該着色部が長さ方向に沿って帯状に印刷されてなる（１）に記載の見出しカード。
（４）基材が、耐水性、耐光性、耐擦過性に優れたインクジェットプリンター用合成紙であり、文字および着色部がインクジェットプリンターにより形成されたものである（１）〜（３）の何れかに記載の見出しカード。
（５）最下端の文字表示領域には、文字のみを有し、着色部を有しない（１）〜（４）の何れかに記載の見出しカード。
（６）粘着剤層に剥離紙が積層されてなる（１）〜（５）の何れかに記載の見出しカード。
（７）略矩形で縦長の基材からなる見出しカードであって、
該基材の一方の表面に、長さ方向に沿って複数段の文字表示領域を有し、
少なくとも１つの文字表示領域には、該文字表示領域の幅方向両端部の少なくとも一方に文字が印刷され、また該文字表示領域に印字された文字の情報に対応した着色部が印刷されてなり、かつ
基材が、耐水性、耐光性、耐擦過性に優れたインクジェットプリンター用合成紙であり、文字および着色部がインクジェットプリンターにより形成されてなる見出しカード。
（８）該着色部が、該文字表示領域の中央に、長さ方向に沿って帯状に印刷されてなる（７）に記載の見出しカード。
（９）該文字表示領域の幅方向両端部の一方に文字が印刷され、他方に該着色部が長さ方向に沿って帯状に印刷されてなる（７）に記載の見出しカード。
（１０）最下端の文字表示領域には、文字のみを有し、着色部を有しない（７）〜（９）の何れかに記載の見出しカード。
（１１）上記（１）〜（５）の何れかに記載の見出しカードと、
フォルダーとからなり、
フォルダーの一辺に該見出しカードが二つ折して貼付されてなるカルテフォルダー。
（１２）上記（６）〜（１０）の何れかに記載の見出しカードと、
フォルダーとからなり、
フォルダーには外縁部に突出する縦長のポケットが形成されてなり、
フォルダーのポケットに二つ折した見出しカードが挿入されてなるカルテフォルダー。（１３）カルテフォルダー使用者からの要望に応じ、所望の文字および着色部を有する（１）〜（１０）の何れかに記載の見出しカードを見出しカード製造者が生成し、
生成した見出しカードをカルテフォルダー使用者に提供し、
カルテフォルダー使用者が該見出しカードを所望のフォルダーに装着することからなるカルテ管理システムの提供方法。
（１４）カルテフォルダー使用者からの要望に応じ、所望の文字および着色部を有する（１）〜（１０）の何れかに記載の見出しカードを見出しカード製造者が生成し、
生成した見出しカードを、カルテフォルダー使用者の要望するフォルダーに、見出しカード製造者が装着し、
見出しカードが装着されたカルテフォルダーを、見出しカード製造者がカルテフォルダー使用者に提供することからなるカルテ管理システムの提供方法。
【発明の効果】
【００２９】
本発明に係る見出しカードは、ポケットが形成されていない、通常の二つ折フォルダーや紙製フォルダーにも使用でき、カルテの管理コストを低減できる。
また、本発明に係る見出しカードによれば、多品種、少量生産に対応できる。多品種化により、たとえば生年月日や氏名によるカルテ管理を可能にし、カルテフォルダー使用者の選択枝が広がる。また、少量生産に対応できるため、使用者の要望に応じて必要量のカードを適時に供給でき、使用者および提供者の双方において在庫の低減が図られる。
【発明を実施するための最良の形態】
【００３０】
以下、本発明に係る見出しカード、カルテフォルダーおよびカルテ管理システムの提供方法について、図面を参照しながら、さらに具体的に説明する。
図１、図２に示すように、本発明に係る見出しカード１０は、略矩形で縦長の基材１１からなる。また、図３に断面図を示すように、基材１１に一方の面には、後述する文字表示領域Ａが形成され、他面には粘着剤層１２を有する。粘着剤層には、剥離紙１３が貼付されていてもよい。なお、見出しカード１０をフォルダー２０に貼着する際には、剥離紙１３を剥離し、粘着剤層１２を露出させて貼着する。また、見出しカード１０を、フォルダー２０のポケット２１内に挿入して使用する場合には、剥離紙１３を剥離する必要はない。
【００３１】
基材１１の長さおよび幅は特に限定はされず、装着されるべきフォルダー２０により様々である。たとえば、フォルダーの一辺に貼着して使用する場合には、貼着される辺の長さよりも短ければよい。またフォルダーの一辺に突出して設けられたポケット２１に見出しカード１０を挿入して使用する場合には、ポケット２１の全長と基材１１の長さはほぼ等しい。また見出しカード１０は、長さ方向に沿って二つ折にしてポケットに挿入されるため、二つ折した際の幅が、ポケットの幅と等しいか、これよりも小さければよい。すなわち、基材１１の長さや幅は、装着されるべきフォルダー２０の形状や、カード１０の文字表示領域のデザインなどにより適宜に設定すればよい。
【００３２】
基材１１の一方の表面には、長さ方向に沿って複数段の文字表示領域Ａが形成される。図１、図２では、５段の文字表示領域を示したが、４段以下であってもよく、また６段以上であってもよい。また、各領域の間の仕切り線はあっても無くてもよい。文字表示領域の段数は、見出しカード１０に記載するべき情報量に応じて適宜に設定すればよい。複数ある文字表示領域の高さは同一であってもよく、異なっていてもよい。たとえば、数字を表示する領域と患者の姓名を表示する領域を設けた場合には、それぞれの文字表示領域の高さを異なるものとしてもよい。
【００３３】
文字表示領域Ａには、その幅方向両端部の少なくとも一方に文字１４が印刷されるが、利便性の観点から、図１に示すように、両端部に文字を印刷することが好ましい。すなわち、検索したフォルダーを引き出す際に、フォルダーの右からも左からも見出しカードの文字を確認できるようにすることが好ましい。
【００３４】
文字表示領域Ａに表示される文字１４は、数字であっても、カナ、アルファベット、さらに漢字であってもよい。ただし、漢字の場合には、その種類が多種にわたるため、後述する着色部を設けることはない。カルテ番号や生年月日でカルテ検索を行う場合には、数字が表示され、氏名で検索する場合には、カナ、アルファベットが表示される。
【００３５】
なお、複数段ある文字表示領域Ａのすべてに、文字を印字する必要はなく、少なくとも１つの文字表示領域に文字および着色部を設ければ、カラーデジット方式は可能になる。文字を印字しない文字表示領域を形成しておき、カードの使用者において、手書きやシール貼付などにより追加情報を表示できるようにしてもよい。しかしながら、たとえば、４桁の数字でカルテ管理を行う場合には、４段の文字表示領域に数字を表示する必要があることは当然である。
【００３６】
また、該文字表示領域Ａの中央には、カード１０の長さ方向に沿って帯状の着色部１５が印刷されてなることが好ましい。着色部１５の色彩や着色パターンは、文字表示領域端部に印字されている文字１４の情報に対応して予め決められている。文字表示領域端部に印字されている文字、たとえば数字の０〜９のそれぞれに対応する色彩を予め特定しておき、印字される文字に対応する色彩の着色部１５を設けることで、端部に印字された文字１４が見えない場合であっても、中央の着色部１５をみればカード番号を特定できる。なお、着色部１５は、色彩や着色パターンによって、互いに区別できるように形成すればよい。たとえば数字の１には黒、２には茶、３には赤を対応させるようにしておけばよい。また、アルファベットやカナのように文字が多種にわたる場合には、色彩と着色パターンを組み合わせることで多種の着色部を形成でき、文字毎に着色部を特定できる。たとえば、アルファベットのＡには赤、Ｂには赤と白の横縞、Ｃには赤と黒の横縞を対応するように予め特定しておく。
【００３７】
また、前述したように、文字表示領域Ａには、その幅方向両端部に文字が印刷されていることが好ましいが、使用態様によっては片方のみに文字が印字されていてもよい。ファイルの収納状況によっては、文字の確認を片側のみから行うことがある。このような場合
には、図２に示すように、文字表示領域Ａの幅方向両端部の一方に文字１４が印刷され、他方に着色部１５が長さ方向に沿って帯状に印刷されてなる見出しカードを用いることができる。この際、着色部１５は、文字表示領域Ａの幅方向片端の全面に形成されていてもよく、また図２に示すように、折り目部近傍にのみ形成されていてもよい。
【００３８】
本発明の見出しカード１０においては、上記文字１４および着色部１５は、インクジェットプリンターを用いて印刷されてなることが特に好ましい。従来の見出しカードにおいては、グラビア印刷などの大量印刷法が採用されているため、多品種、少量生産には対応できなかったが、インクジェットプリンターの使用により、多品種、少量生産への対応が可能になる。多品種化により、たとえば生年月日や氏名によるカルテ管理を可能にし、カルテフォルダー使用者の選択枝が広がる。またカルテフォルダー使用者独自のデザインによる見出しカードも提供できるようになる。さらに、少量生産に対応できるため、使用者の要望に応じて必要量のカードを適時に供給でき、使用者および提供者の双方において在庫の低減が図られる。このため、たとえば４桁以上の文字が印刷された見出しカード１０でも容易に生成できる。従来の見出しカード（３桁の数字のみが予め印刷されていたもの）では１０００以上の番号を付与するためには別途シール貼付により４桁とする作業をおこなっていたが、このような作業は不要となり、さらに在庫管理の煩雑さも大幅に低減される。
【００３９】
また、本発明の好ましい態様の見出しカード１０においては、着色部１５は、文字表示領域Ａの中央に帯状に印刷されるため、文字表示領域の全領域に背景色として着色部を形成する場合に比べて、インクの使用量を低減でき、インクジェットプリンターを使用した場合であっても低コスト化が実現される。なお、インクジェットプリンターを用いて文字１４、着色部１５を印刷した場合、これを拡大して観察すると、インクジェット印刷独特のドット状のインキが確認される。これはグラビア印刷などの大量印刷法には見られない特徴であり、文字等がインクジェットプリンターを用いて印刷されたものであるか否かの判定は容易である。
【００４０】
文字１４および着色部１５をインクジェットプリンターにより形成する場合には、基材１１は、インクジェットプリンターによる印字が可能であり、耐屈曲性、耐磨耗性、耐久性の高い材質であれば、特に限定はされないが、耐水性、耐光性、耐擦過性に優れたインクジェットプリンター用合成紙が好ましく用いられ、たとえば、リンテック社製ＬＮ６６１０、ＦＪ１４１０−７５、ＦＪ２４１０−５０、ａ−ｏｎｅ社製インクジェットプリンタラベル２８７９５等が好ましく用いられる。このような基材を用いることで、強度、耐屈曲性、耐水性、耐光性、耐擦過性を有する見出しカード１０が得られるため、折り目部の視認性が損なわれることがなく、カラーデジット方式の利便性を長期間にわたり確保できる。
【００４１】
さらに、文字１４および着色部１５を印刷した後、これらの耐久性等をさらに向上させるために、保護コート層や保護フィルムを積層してもよい。保護コート層や保護フィルムは、印刷面の全面に設けられていてもよく、また着色部のみに設けられてもよい。保護コート層や保護フィルムは、この種の用途に広く使用されている樹脂あるいはポリプロピレンフィルム、ポリエチレンテレフタレートフィルム等により形成できる。
【００４２】
本発明の第１の態様に係る見出しカードでは、基材１１に裏面には、粘着剤層１２が設けられる。粘着剤としては、アクリル系、ポリエステル系、ゴム系などの公知の粘着剤が特に制限されることなく用いられる。見出しカード１０の使用前に、粘着剤層１２を保護するため、粘着剤層１２には、剥離紙１３が積層されていてもよい。剥離紙としても、公知の剥離紙が特に制限されることなく使用できる。このような粘着剤層１２を有する見出しカードであれば、各種のフォルダーに直接貼付できるため、ポケットが形成されていな
い、通常の二つ折フォルダーや紙製フォルダーにも使用でき、カルテの管理コストを低減できる。
【００４３】
一方、見出しカード１０を、後述するようにフォルダーのポケット２１に挿入して使用する場合には、粘着剤層１２は必ずしも必須ではない。すなわち、本発明の第２の態様に係る見出しカードは、上記第１の態様において、粘着剤層を有さず、かつ基材が、耐水性、耐光性、耐擦過性に優れたインクジェットプリンター用合成紙であり、文字および着色部がインクジェットプリンターにより形成されてなるものである。第２の態様に係る見出しカードは、インクジェットプリンターにより生成するため、多品種、少量生産に対応できる。多品種化により、たとえば生年月日や氏名によるカルテ管理を可能にし、カルテフォルダー使用者の選択枝が広がる。また、少量生産に対応できるため、使用者の要望に応じて必要量のカードを適時に供給でき、使用者および提供者の双方において在庫の低減が図られる。
【００４４】
次に、本発明の見出しカード１０の使用態様について、カルテ番号に基づくカルテ管理を例にとり説明する。
来院者が提示する診察券にはカルテ番号と同じ番号が記載されている。したがって、診察券番号と同じ番号のカルテを検索する。ここで、カルテ番号を４桁の数字、すなわち０００１〜９９９９で管理している場合を例とする。
【００４５】
図１、図２、図４、図５に示すように、見出しカード１０の文字表示領域Ａにはフォルダー２０に収納されるカルテと同じ番号が印字されている。また各数字には、数字毎に予め特定された色が決められている。たとえば０は白、１は黒、２は茶、３は赤のように予め色彩を決めておき、この色彩に対応する着色部１５を文字表示領域Ａに形成する。文字１４自体の色は特に限定はされず、上記のように各文字毎に特定されている色で印刷してあってもよく、また黒色であってもよく、その他の視認性の高い色彩であれば特に問題はない。図１、図２、図４、図５では「１３２１番」の番号を割り振られた見出しカード１０およびその使用態様を示している。
【００４６】
見出しカード１０は、図４に示すように、フォルダー２０の一辺に粘着剤層１２を介して直接貼付されていてもよく、また図５に示すように、フォルダー２０の外縁部に突出して形成された透明ポケット２１内に挿入されていてもよい。
【００４７】
前者の使用態様によれば、文具として汎用されている二つ折フォルダーや紙製フォルダーを使用できるため、カルテの管理コストを低減できる。また着色部１５を目視で直接確認できるため高い視認性が達成される。
【００４８】
後者の態様では、粘着剤層１２上に設けられた剥離紙１３を除去することなく、見出しカード１０を二つ折りして、透明ポケット２１内に挿入すればよい。すなわち、本発明の第１の態様に係る見出しカード１０は、従来医療機関で汎用されている透明ポケット付きのフォルダーにも対応でき、また、粘着剤層１２を有するため、文具としても市販されている廉価な二つ折フォルダーや紙製フォルダーにも貼付できるという利点を有する。また、本発明の第２の態様に係る見出しカード１０は、粘着剤層を有しないため、フォルダー類に直接貼付することはできないが、従来医療機関で汎用されている透明ポケット付きのフォルダーに対応できる。
【００４９】
なお、透明ポケット２１には、図５に示すように、ポケット２１の折り目部分を一部切断除去し窓部２２を設けておいてもよい。透明ポケット２１に収納された見出しカード１０の着色部１５は、透明ポケット２１を構成する透明樹脂シートを介して視認される。樹脂シートは完全には透明では有り得ないので、着色部１５の視認性は低下する。しかし、
上記のように窓部２２を設けておくと、着色部１５を目視で直接確認できるため、視認性は損なわれない。
【００５０】
図示した見出しカード１０には、５段の文字表示領域Ａがあり、そのうちの４段の両端部には、上から１、３、２、１の数字１２が印字されている。１０００の位、すなわち「１」の数字が印字された文字表示領域の中央部には、「１」の数字に対応する色彩（黒）の着色部１５が帯状に形成されている。１００の位、すなわち「３」の数字が印字された文字表示領域の中央部には、「３」の数字に対応する色彩（赤）の着色部１５が帯状に形成されている。１０の位、すなわち「２」の数字が印字された文字表示領域の中央部には、「２」の数字に対応する色彩（茶）の着色部１５が帯状に形成されている。１の位の数字が印字された文字表示領域の中央部には、色が付されていてもよいが、カルテ検索においては１の位の色は、カラーブロックを形成しないため、着色部を形成する必要は必ずしもない。以下では、１の位の数字が印字された文字表示領域（最下端の文字表示領域）に着色部を形成しない場合、すなわち、１の位の文字表示領域には、数字のみが印刷されている場合を例とする。
【００５１】
同様にして、０００１〜９９９９のそれぞれについて数字１２と着色部１５を印刷した見出しカード１０を準備する。
この結果、１０００の位（４段目）の着色部が同じ色のカードが１０００枚存在し、そのうち１００の位（３段目）の着色部が同じ色のカードが１００枚づつ存在し、さらにそのうち１０の位（２段目）の着色部が同じ色のカードが１０枚づつ存在することになる。
【００５２】
たとえば、１３００〜１３９９の１００枚のカードは、１０００の位の着色部が黒、１００の位の着色部が赤である。そのうち、３２０〜３２９の１０枚のカードは、１０の位の着色部が「茶」のカラーパターンとなる。また、１３３０〜１３３９の１０枚のカードは、１０００の位が黒であり、１００の位、１０の位の着色部がともに「赤」のカラーパターンとなる。
【００５３】
これらの見出しカード１０を、長さ方向に沿って二つ折りにして、折り目部におけるカラーパターンが目視できるようにしてフォルダー２０に装着する（図４、図５）。その後、カラーパターンが視認できるようにフォルダーを縦置きして、番号順に整列させる。
【００５４】
この結果、１０００〜１９９９の１０００個のフォルダーは、４段目の着色部が黒である大ブロックを形成する。そのうち１３００〜１３９９の１００個のフォルダーは、３段目の着色部が「赤」の中ブロックを形成する。そして、１３２０〜１３２９の１０個のフォルダーは、４段目が「黒」、３段目が「赤」、２段目が「茶」の小ブロックを形成する。小ブロック内の１０個のフォルダーは、１の位に数字の順に整列収納される。したがって、１３２１番のカルテを取り出す場合には、４段目が「黒」の大ブロックから３段目が「赤」の中ブロックに見当をつけ、２段目が「茶」の小ブロックを検索すれば、容易に発見できる。
【００５５】
また、この方法によれば、カルテのミスファイルも防止できる。たとえば、１２３１番のフォルダーを誤って１３２１番の位置に収納した場合、３段目が「赤」の中ブロックに、３段目が茶のフォルダーが存在することになり、ミスファイルであることが目視により容易に判明する。
【００５６】
次に本発明に係るカルテ管理システムの提供方法について説明する。本発明の提供方法は、上記した見出しカード１０およびカルテフォルダーを利用したカルテ管理システムを提供するものである。
【００５７】
第１の提供方法は、カルテフォルダー使用者からの要望に応じ、所望の文字および着色部を有する見出しカードを見出しカード製造者が生成し、
生成した見出しカードをカルテフォルダー使用者に提供し、
カルテフォルダー使用者が該見出しカードを所望のフォルダーに装着することからなる。
【００５８】
第２の提供方法は、カルテフォルダー使用者からの要望に応じ、所望の文字および着色部を有する見出しカードを見出しカード製造者が生成し、
生成した見出しカードを、カルテフォルダー使用者の要望するフォルダーに、見出しカード製造者が装着し、
見出しカードが装着されたカルテフォルダーを、見出しカード製造者がカルテフォルダー使用者に提供することからなる。
【００５９】
本発明の第１の態様に係る見出しカードは、粘着剤層を有するため、ポケットが形成されていない、通常の二つ折フォルダーや紙製フォルダーにも使用でき、カルテの管理コストを低減できる。
【００６０】
本発明によれば、使用者の要望に沿ったデザインのカードが提供されるため、使用者においては、これを各種のフォルダーに装着するだけで、使用者の意図したカルテ管理が可能になる。カルテフォルダー使用者である病院、医院、歯科医院、動物病院、美容院等では、カルテの管理方法が必ずしも統一されてはいないが、本発明によれば、種々の管理方法への対応が可能になる。特に見出しカード１０を、コンピュータにより制御されるインクジェットプリンターを用いて作成する場合には、様々なデザインのカード１０を容易かつ迅速に提供できる。したがって、カルテフォルダー使用者の要望に沿ったデザイン、大きさの見出しカード１０を適時に使用者に提供できるようになる。
【００６１】
たとえば、第１の提供方法のように、使用者において、市販されている安価な二つ折フォルダーや紙製フォルダーを準備し、これに見出しカード製造者から提供された見出しカードを貼着してもよく、また、使用者において所望のポケット付きフォルダーを準備し、これに見出しカードを挿入して使用に供してもよい。
【００６２】
さらに、第２の提供方法のように、見出しカードの装着作業を、見出しカード製造者で代行してもよい。
【産業上の利用可能性】
【００６３】
本発明に係る見出しカードは、ポケットが形成されていない、通常の二つ折フォルダーや紙製フォルダーにも使用でき、カルテの管理コストを低減できる。
また、本発明に係る見出しカードによれば、多品種、少量生産に対応できる。多品種化により、たとえば生年月日や氏名によるカルテ管理を可能にし、カルテフォルダー使用者の選択枝が広がる。また、少量生産に対応できるため、使用者の要望に応じて必要量のカードを適時に供給でき、使用者および提供者の双方において在庫の低減が図られる。
【図面の簡単な説明】
【００６４】
【図１】本発明に係る見出しカードの平面図を示す。
【図２】本発明に係る見出しカードの変形例の平面図を示す。
【図３】本発明に係る見出しカードの断面図を示す。
【図４】本発明に係る見出しカードの使用態様を示す。
【図５】本発明に係る見出しカードの使用態様を示す。
【図６】従来の見出しカードの平面図を示す。
【図７】従来の見出しカードの使用態様を示す。
【符号の説明】
【００６５】
１０…見出しカード
１１…基材
１２…粘着剤層
１３…剥離紙
１４…文字
１５…着色部
２０…フォルダー
２１…ポケット
２２…窓部
３０…先行技術に係る見出しカード
Ａ…文字表示領域
【図１】
2007245563.tif 000003
【図２】
2007245563.tif 000004
【図３】
2007245563.tif 000005
【図４】
2007245563.tif 000006
【図５】
2007245563.tif 000007
【図６】
2007245563.tif 000008
【図７】
2007245563.tif 000009